(57)【要約】【技術課題】従来の熱源機を用いて温水マットを１５ｍ2程度の大きさの部屋用に適用できる小根太の入れ方と温水パイプの配管方式を採用した温水マットを提供する。【解決手段】マット本体１には、平面視でその中央から下段マット領域３と上段マット領域２に分けて両領域間に山折り線Ｘ−Ｘ´を形成し、且つ前記小根太４ａ、４ｂの中間を通るようにして要所に谷折り線Ｙ−Ｙ´を形成する。それぞれの領域の上辺と下辺から先端を対向させた下向き小根太４ａと上向き小根太４ｂは、左右両端を除き左右方向に３０３ｍｍピッチでそれぞれ平行に挿入し、各小根太４ａ、４ｂのそれぞれの先端間には温水パイプ６ａ〜６ｆの渡り部５を形成する。また、前記渡り部５は、隣接するもの同士間において上下に互い違いに配置し、この上下の渡り部５の上下の中心間の間隔はそれぞれ３０３ｍｍに設定し、温水パイプ６ａ〜６ｆはこの渡り部５を経由して小根太４ａ、４ｂ間を蛇行配管する。【選択図】図１
2010038390.tif 000002
【特許請求の範囲】
【請求項１】
ａ．中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチでそれぞれ平行に挿入されていると共にこの挿入された下向きと上向きの小根太４ａ、４ｂのそれぞれの先端間には温水パイプの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．マット本体１の略中間であって、下段マット領域３の下辺に接近して配置された温水ヘッダーから引き出された６本又は８本の温水パイプ６ａ〜６ｆ又は６ａ〜６ｈは、前記渡り部５を経由して左右隣接している配管領域に移行して下向き小根太４ａ及び上向き小根太４ｂ間をそれぞれ蛇行しながら前記温水ヘッダーに還るように配管されていること、
ｄ．を特徴とする小根太入り床暖房用温水マット。
【請求項２】
ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３において山折り線Ｘ−Ｘ´に近い部分において折り返し、再び前記渡り部５を経由して上向き小根太４ｂ間を蛇行しながらヘッダー部上段配管領域８−１に還ったのち、山折り線Ｘ−Ｘ´を乗り越えてヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行して左端配管領域２−３において山折り線Ｘ−Ｘ´に近い部分で折り返し、再び渡り部５を経由して下向き小根太４ａ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６から温水還り口Ｂ４、Ｂ５、Ｂ６にそれぞれ還るように結ばれ、かつ温水パイプ６ｄ〜６ｆは、温水パイプ６ｄは、前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
ｈ．を特徴とする小根太入り床暖房用温水マット。
【請求項３】
ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３から下向き小根太４ａを迂回して直近の配管領域３−５に入り、前記山折り線Ｘ−Ｘ´に近い部分において折り返し、再び前記左端配管領域３−３に戻り、下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３の一つ手前の配管領域３−５に移り、この配管領域３−５では前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３の一つ手前の配管領域２−５において山折り線Ｘ−Ｘ´に近い部分において折り返し、再び前記渡り部５を経由して上向き小根太４ｂ間を蛇行しながらヘッダー部上段配管領域８−１に還ったのち、山折り線Ｘ−Ｘ´を乗り越えてヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行しながら左側配管領域２−３において山折り線Ｘ−Ｘ´に近い部分で折り返し、再び渡り部５を経由して下向き小根太４ａ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６と温水還り口Ｂ４、Ｂ５、Ｂ６にそれぞれ還るように結ばれ、かつ温水パイプ６ｄ〜６ｆは、温水パイプ６ｄは前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
ｈ．を特徴とする小根太入り床暖房用温水マット。
【請求項４】
ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３から下向き小根太４ａ間を蛇行しながら２つ目の領域に戻った配管領域３−７において前記山折り線Ｘ−Ｘ´に近い部分において折り返し、再び下向き小根太４ａ間を蛇行しながら左端配管領域３−３に戻り、再び上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を２本分蛇行したのち、前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３において折り返し、再び前記渡り部５を経由して下向き小根太４ａ間を蛇行しながらヘッダー部上段配管領域８−１に還ったのち、山折り線Ｘ−Ｘ´を乗り越えてヘッダー部下段配管領域８−２に移り、前記温水ヘッダー７の三番目の還り口Ｂ３に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行して左側配管領域２−１において左端配管領域２−３で折り返し、再び渡り部５を経由して上向き小根太４ｂ間を蛇行しながらヘッダー部上段配管領域８−１から山折り線Ｘ−Ｘ´を乗り越えてヘッダー部下段配管領域８−２に移り、前記温水ヘッダー７の二番目の還り口Ｂ２に接続されていること、
ｇ．前記マット本体１の上段マット領域２と下段マット領域３において、右側配管領域２−２と３−２における温水パイプ６ｄ〜６ｆの配管のレイアウトは、前記温水ヘッダー７の四、五、六番目の温水往き口Ａ４、Ａ５、Ａ６と温水還り口Ｂ４、Ｂ５、Ｂ６にそれぞれ還るように結ばれ、かつ温水パイプ６ｄ〜６ｆは、温水パイプ６ｄは前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
ｈ．を特徴とする小根太入り床暖房用温水マット。
【請求項５】
ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の１本目の下向き小根太４ａを越えた領域で山折り線Ｘ−Ｘ´に近い部分において折り返し、渡り部５を経由してヘッダー部下段配管領域８−２に還ったのち、ここを上昇してヘッダー部上段配管領域８−１に移り、渡り部５を経由して上向き小根太４ｂ間を蛇行しながら左端配管領域２−３において下向き小根太４ａ間を蛇行しながらヘッダー部上段配管領域８−１から山折り線Ｘ−Ｘ´を越えてヘッダー部下段配管領域８−２に移り、温水ヘッダー７の三番目の還り口Ｂ３に接続されていること、
ｆ．温水ヘッダー７の三番目の温水往き口Ａ３に接続された温水パイプ６ｃは、ヘッダー部下段配管領域８−２を上昇し、山折り線Ｘ−Ｘ´を越えて上段マット領域２のヘッダー部上段配管領域８−１41に移り、上段左側配管領域２−３の下向き小根太４ａ間を蛇行しながら左端配管領域３−３に移り、この領域で折り返し、再び上向き小根太４ｂ間を蛇行しながらヘッダー部上段配管領域８−１に還り、ここを下降して山折り線Ｘ−Ｘ´を越えてヘッダー部下段配管領域８−２に移り、温水還り口Ｂ２に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６から温水還り口Ｂ４、Ｂ５、Ｂ６にそれぞれ還るように結ばれ、かつ温水パイプ６ｄ〜６ｆは、温水パイプ６ｄは、前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
ｈ．を特徴とする小根太入り床暖房用温水マット。
【請求項６】
ａ．平面視その中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｈの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ８個の温水往き口Ａ１〜Ａ８と還り口Ｂ１〜Ｂ８が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながらヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら上向き小根太４ｂ間を蛇行して左端配管領域２−３において山折り線Ｘ−Ｘ´に近い部分で折り返し、再び渡り部５を経由して上向き小根太４ｂ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記温水ヘッダー７の四番目の温水往き口Ａ４に接続された温水パイプ６ｄは、温水ヘッダー７が取り付けれられたヘッダー部下段配管領域８−２を上昇しながら前記山折り線Ｘ−Ｘ´を乗り越えてヘッダー部上段配管領域８−１に移り、上段配管領域２の上段左側配管領域２−１において、前記渡り部５を経由しながら下向き小根太４ａ間を蛇行して左端配管領域２−３において山折り線Ｘ−Ｘ´に近い部分で折り返し、再び渡り部５を経由して下向き下根太４ａ間を蛇行しながらヘッダー部上段配管領域８−１から山折り線Ｘ−Ｘ´を乗り越えてヘッダー部下段配管領域８−２に移り、前記温水ヘッダー７の四番目の還り口Ｂ４に接続されていること、
ｈ．前記マット本体１の上段マット領域２と下段マット領域３において、右側配管領域２−２と３−２における温水パイプ６ｅ〜６ｈの配管のレイアウトは、前記温水ヘッダー７の五、六、七、八番目の温水往き口Ａ５、Ａ６、Ａ７、Ａ８に結ばれ、温水還り口Ｂ５、Ｂ６、Ｂ７、Ｂ８にそれぞれ還るように結ばれ、かつ温水パイプ６ｅは前記温水パイプ６ａと、温水パイプ６ｆは前記温水パイプ６ｂと、温水パイプ６ｇは前記温水パイプ６ｃと、温水パイプ６ｈは温水パイプ６ｄと、それぞれ同一のレイアウトにより下向き小根太４ａと上向き小根太４ｂ間を経由して配管されていること、
ｉ．を特徴とする小根太入り床暖房用温水マット。
【請求項７】
前記マット本体１において、前記山折り線Ｘ−Ｘ´及び谷折り線Ｙ−Ｙ´を跨ぐ処の温水パイプ６ａ〜６ｈは、斜行配管されていること、を特徴とする請求項１乃至６のいずれか１項に記載の小根太入り床暖房用温水マット。
【請求項８】
前記マット本体１上に敷設される一枚のフローリング床材の横幅は、３０３ｍｍに設定されていて、この一枚の横巾の中央部分が前記渡り部５上に位置し、且つ小根太４ａ、４ｂと直交するように配置されること、を特徴とする請求項１乃至６のいずれか１項に記載の小根太入り床暖房用温水マット。
【請求項９】
前記上段マット領域２と下段マット領域３は、その下辺から上辺に向かって３０３ｍｍ×ｎ倍にその寸法が設定されていること、を特徴とする請求項１乃至６のいずれか１項に記載の小根太入り床暖房用温水マット。
【請求項１０】
前記マット本体１の上段マット領域２と下段マット領域３の上面には、それぞれ放熱シートが貼り合わせられていること、を特徴とする請求項１乃至６のいずれか１項に記載の小根太入り床暖房用温水マット。
【発明の詳細な説明】
【技術分野】
【０００１】
本願発明は、マット本体に小根太と称されるフローリング床材を支持するための支持材を挿入し、この小根太間を蛇行するようにして放熱用の温水パイプが配管された小根太入り床暖房用温水マットに関し、更に詳しくは、従来のマットの大きさは８ｍ2程度が限度であったものを１５ｍ2程度まで拡大し、更に温水パイプの径を従来の８ｍ2程度のマットに利用されていたのと同じ直径が５．０ｍｍのものをそのまま１５ｍ2程度の大きさのマットにまで利用し、然もマット全体において温度分布の均一化を図ることができる配管方式を採用した小根太入り床暖房用温水マットに関する。
【背景技術】
【０００２】
従来の温水マットは、マット本体内に上辺と下辺から交互に小根太を対辺に近いところまで挿入してこの対辺と小根太の先端間に温水パイプの渡り部を形成し、この渡り部を経由し、小根太を迂回するようにして温水パイプを配管した構成のものが通例である（特開２００４−２８５７７号公報）。
【０００３】
このような温水マットの場合、温水パイプは、温水ヘッダーがマット本体の下辺に近い略中央か端に取り付けられていて、このヘッダーから引き出された２本の温水パイプは、ペアーでマット本体の右半領域において小根太を迂回しながら蛇行したのち、続いて左半領域に移り、同じように蛇行しながらワンウェー方式でマット全体を一巡してからヘッダーに還る方式である。
【０００４】
しかし、このような温水マットの場合、ヘッダーから出た直後の温水の温度は約６０℃であるが、一巡して温水ヘッダーに還るまでの間において、約１０℃前後の水温の低下があり、マット本体において温度分布が均一化しないという欠点がある。
【０００５】
また、温水パイプはマット本体内をワンウェー方式で一巡することから、配管距離がその分長くなり、例えば５ｍ2程度までのマットの場合はとにかく、例えば８ｍ2位の大きさになると圧損が大きくなるため、循環ポンプに大型のものを使用しなければならず、その分動力費が上昇し、また騒音や振動と云った環境に悪い影響が出る。このため、このワンウェー配管方式の場合にはマット本体の大きさに制約がある。
【０００６】
そこで、温水パイプの配管を二手に分け、且つ小根太をマット本体の上下辺内に挿入して上下辺に沿って温水パイプの渡り部を形成し、小根太の両端に形成された渡り部をそれぞれ迂回して蛇行するようにした配管方式のマットが特開２００５−２４１０７１号公報に紹介されている。
【０００７】
また、この紹介されているマットは、その折り畳みのために平面視で中央に山折り線を形成し、更に前記山折り線に直交する谷折り線を形成してマット本体を小さく折り畳んで運搬がしやすいように工夫している。
【０００８】
しかし、このマットの場合、小根太を迂回する部分に温水パイプが集中するため、温度分布が不均一になると共に小根太の上に敷設するフローリング床材において、釘打ち禁止区間がマットの中央部分と上下の部分の計３ヶ所になることから、フローリング床材を施工するのに手間がかかり、釘打ちトラブルの発生も生じ易いという問題がある。
【０００９】
また、ここに紹介されているマットの場合、温水パイプには直径が５．０ｍｍのものが利用されており、この時のマットの大きさは圧損から８ｍ2程度が限度である。
そこで、もし１５ｍ2位のマットの大きさに従来径の温水パイプを用いる場合には、熱源機を大型のものに交換するか、温水パイプの径を少なくとも６．０ｍｍのものに換える必要がある。しかし、このようにパイプ径を大きくするとマットが厚くなってしまい、従来のマットに対して施工条件が大きく変わるという問題がある。
【００１０】
また、熱源機から供給された温水を各温水パイプに分岐して供給する温水ヘッダーの場合、熱源機からの温水の供給口に近い温水パイプ側に温水の流れが片寄る傾向があるため、これも温度分布が均一化しない理由である。
【発明の開示】
【発明が解決しようとする課題】
【００１１】
本発明は斯る点に鑑みて提供されるものであって、その第一の目的は、パイプを従来と同じ直径５．０ｍｍのものを使用して１５ｍ2程度の大きさにまで対応できる小根太入り温水マットを提供することである。
【００１２】
更に第二の目的は、温水パイプの回路を６〜８回路まで増やして各温水パイプが一巡する延長距離の短縮を図り、これにより圧損を軽減し、更に各温水パイプの長さと配管領域を略均等化することにより温度分布の均一化を図って使い勝手のよい小根太入り温水マットを提供することである。
【００１３】
更に第三の目的は、温水パイプの回路数を６〜８回路まで増やすことにより同一の大きさのマットにおいては配管抵抗（圧損）を大幅に低減して循環ポンプの駆動電力の節約を図ることができる小根太入り温水マットを提供することである。
【００１４】
更に第四の目的は、マット上に敷設するフローリング床材の施工において、釘打ち禁止区間の数を１枚のマットにおいて従来の３ヶ所（３列）から２ヶ所に低減して施工性の向上を図り、併せて誤って釘打ち禁止区間に釘打ちを行ってしまうと云ったトラブルを回避又は軽減できる小根太入り温水マットを提供することである。
【００１５】
更に第五の目的は、供給された温水の流れが片寄りがちな温水パイプは、他のパイプに比較して熱負荷が大きくかかるように配管のレイアウトに工夫を凝らして温度分布の均一化を図ることである。
【課題を解決するための手段】
【００１６】
上記目的を達成するため、請求項１に記載の発明においては、小根太入り床暖房用温水マットにおいて、ａ．中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチでそれぞれ平行に挿入されていると共にこの挿入された下向きと上向きの小根太４ａ、４ｂのそれぞれの先端間には温水パイプの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．マット本体１の略中間であって、下段マット領域３の下辺に接近して配置された温水ヘッダーから引き出された６本又は８本の温水パイプ６ａ〜６ｆ又は６ａ〜６ｈは、前記渡り部５を経由して左右隣接している配管領域に移行して下向き小根太４ａ及び上向き小根太４ｂ間をそれぞれ蛇行しながら前記温水ヘッダーに還るように配管されていること、
を特徴とするものである。
【００１７】
更に、請求項２に記載の発明においては、小根太入り床暖房用温水マットにおいて、ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３において山折り線Ｘ−Ｘ´に近い部分において折り返し、再び前記渡り部５を経由して上向き小根太４ｂ間を蛇行しながらヘッダー部上段配管領域８−１に還ったのち、山折り線Ｘ−Ｘ´を乗り越えてヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行して左端配管領域２−３において山折り線Ｘ−Ｘ´に近い部分で折り返し、再び渡り部５を経由して下向き小根太４ａ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６から温水還り口Ｂ４、Ｂ５、Ｂ６にそれぞれ還るように結ばれ、かつ温水パイプ６ｄ〜６ｆは、温水パイプ６ｄは、前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
を特徴とするものである。
【００１８】
更に、請求項３に記載の発明においては、小根太入り床暖房用温水マットにおいて、ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３から下向き小根太４ａを迂回して直近の配管領域３−５に入り、前記山折り線Ｘ−Ｘ´に近い部分において折り返し、再び前記左端配管領域３−３に戻り、下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３の一つ手前の配管領域３−５に移り、この配管領域３−５では前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３の一つ手前の配管領域２−５において山折り線Ｘ−Ｘ´に近い部分において折り返し、再び前記渡り部５を経由して上向き小根太４ｂ間を蛇行しながらヘッダー部上段配管領域８−１に還ったのち、山折り線Ｘ−Ｘ´を乗り越えてヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行しながら左側配管領域２−３において山折り線Ｘ−Ｘ´に近い部分で折り返し、再び渡り部５を経由して下向き小根太４ａ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６と温水還り口Ｂ４、Ｂ５、Ｂ６にそれぞれ還るように結ばれ、かつ温水パイプ６ｄ〜６ｆは、温水パイプ６ｄは前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
を特徴とするものである。
【００１９】
更に、請求項４に記載の発明においては、小根太入り床暖房用温水マットにおいて、ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３から下向き小根太４ａ間を蛇行しながら２つ目の領域に戻った配管領域３−７において前記山折り線Ｘ−Ｘ´に近い部分において折り返し、再び下向き小根太４ａ間を蛇行しながら左端配管領域３−３に戻り、再び上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を２本分蛇行したのち、前記山折り線Ｘ−Ｘ´に近い部分において折り返し、再び前記した渡り部５を経由して下段マット領域３の下向き小根太４ａ間を蛇行しながら前記ヘッダー部下段配管領域８−２に還ったのち、前記山折り線Ｘ−Ｘ´を乗り越えてヘッダー部上段配管領域８−１に移り、同じように渡り部５を経由して上向き小根太４ｂ間を蛇行しながら左端配管領域２−３において折り返し、再び前記渡り部５を経由して下向き小根太４ａ間を蛇行しながらヘッダー部上段配管領域８−１に還ったのち、山折り線Ｘ−Ｘ´を乗り越えてヘッダー部下段配管領域８−２に移り、前記温水ヘッダー７の三番目の還り口Ｂ３に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら下向き小根太４ａ間を蛇行して左側配管領域２−１において左端配管領域２−３で折り返し、再び渡り部５を経由して上向き小根太４ｂ間を蛇行しながらヘッダー部上段配管領域８−１から山折り線Ｘ−Ｘ´を乗り越えてヘッダー部下段配管領域８−２に移り、前記温水ヘッダー７の二番目の還り口Ｂ２に接続されていること、
ｇ．前記マット本体１の上段マット領域２と下段マット領域３において、右側配管領域２−２と３−２における温水パイプ６ｄ〜６ｆの配管のレイアウトは、前記温水ヘッダー７の四、五、六番目の温水往き口Ａ４、Ａ５、Ａ６と温水還り口Ｂ４、Ｂ５、Ｂ６にそれぞれ還るように結ばれ、かつ温水パイプ６ｄ〜６ｆは、温水パイプ６ｄは前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
を特徴とするものである。
【００２０】
更に、請求項５に記載の発明においては、ａ．平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の１本目の下向き小根太４ａを越えた領域で山折り線Ｘ−Ｘ´に近い部分において折り返し、渡り部５を経由してヘッダー部下段配管領域８−２に還ったのち、ここを上昇してヘッダー部上段配管領域８−１に移り、渡り部５を経由して上向き小根太４ｂ間を蛇行しながら左端配管領域２−３において下向き小根太４ａ間を蛇行しながらヘッダー部上段配管領域８−１から山折り線Ｘ−Ｘ´を越えてヘッダー部下段配管領域８−２に移り、温水ヘッダー７の三番目の還り口Ｂ３に接続されていること、
ｆ．温水ヘッダー７の三番目の温水往き口Ａ３に接続された温水パイプ６ｃは、ヘッダー部下段配管領域８−２を上昇し、山折り線Ｘ−Ｘ´を越えて上段マット領域２のヘッダー部上段配管領域８−１41に移り、上段左側配管領域２−３の下向き小根太４ａ間を蛇行しながら左端配管領域３−３に移り、この領域で折り返し、再び上向き小根太４ｂ間を蛇行しながらヘッダー部上段配管領域８−１に還り、ここを下降して山折り線Ｘ−Ｘ´を越えてヘッダー部下段配管領域８−２に移り、温水還り口Ｂ２に接続されていること、
ｇ．前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６から温水還り口Ｂ４、Ｂ５、Ｂ６にそれぞれ還るように結ばれ、かつ温水パイプ６ｄ〜６ｆは、温水パイプ６ｄは、前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されていること、
を特徴とするものである。
【００２１】
更に、請求項６に記載の発明においては、小根太入り床暖房用温水マットにおいて、ａ．平面視その中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｈの渡り部５が形成されていること、
ｂ．前記渡り部５は、左右に隣接するもの同士間において上下に互い違いに配置されていると共にこの上下の渡り部５の中心間の距離はそれぞれ３０３ｍｍに設定されていること、
ｃ．前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ８個の温水往き口Ａ１〜Ａ８と還り口Ｂ１〜Ｂ８が形成されていること、
ｄ．前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の上向き小根太４ｂ間を蛇行しながらヘッダー部下段配管領域８−２に還ったのち、前記温水ヘッダー７の一番目の還り口Ｂ１に接続されていること、
ｅ．前記温水ヘッダー７の二番目の温水往き口Ａ２に接続された温水パイプ６ｂは、下段左側配管領域３−１において、渡り部５を経由して下段左側配管領域３−１の下向き小根太４ａ間を蛇行しながら左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながらヘッダー部下段配管領域８−２に移り、前記温水ヘッダー７の二番目の還り口Ｂ２に接続されていること、
ｆ．前記温水ヘッダー７の三番目の温水往き口Ａ３に接続された温水パイプ６ｃは、温水ヘッダー７が取り付けられたヘッダー部下段配管領域８−２を上昇しながら前記山折り線Ｘ−Ｘ´を乗り越えてヘッダー部上段配管領域８−１に移り、上段マット領域２の上段左側配管領域２−１において前記渡り部５を経由しながら上向き小根太４ｂ間を蛇行して左端配管領域２−３において山折り線Ｘ−Ｘ´に近い部分で折り返し、再び渡り部５を経由して上向き小根太４ｂ間を蛇行しながらヘッダー部上段配管領域８−１から山折り線Ｘ−Ｘ´を乗り越えてヘッダー部下段配管領域８−２に移り、前記温水ヘッダー７の三番目の還り口Ｂ３に接続されていること、
ｇ．前記温水ヘッダー７の四番目の温水往き口Ａ４に接続された温水パイプ６ｄは、温水ヘッダー７が取り付けれられたヘッダー部下段配管領域８−２を上昇しながら前記山折り線Ｘ−Ｘ´を乗り越えてヘッダー部上段配管領域８−１に移り、上段配管領域２の上段左側配管領域２−１において、前記渡り部５を経由しながら下向き小根太４ａ間を蛇行して左端配管領域２−３において山折り線Ｘ−Ｘ´に近い部分で折り返し、再び渡り部５を経由して下向き下根太４ａ間を蛇行しながらヘッダー部上段配管領域８−１から山折り線Ｘ−Ｘ´を乗り越えてヘッダー部下段配管領域８−２に移り、前記温水ヘッダー７の四番目の還り口Ｂ４に接続されていること、
ｈ．前記マット本体１の上段マット領域２と下段マット領域３において、右側配管領域２−２と３−２における温水パイプ６ｅ〜６ｈの配管のレイアウトは、前記温水ヘッダー７の五、六、七、八番目の温水往き口Ａ５、Ａ６、Ａ７、Ａ８に結ばれ、温水還り口Ｂ５、Ｂ６、Ｂ７、Ｂ８にそれぞれ還るように結ばれ、かつ温水パイプ６ｅは前記温水パイプ６ａと、温水パイプ６ｆは前記温水パイプ６ｂと、温水パイプ６ｇは前記温水パイプ６ｃと、温水パイプ６ｈは温水パイプ６ｄと、それぞれ同一のレイアウトにより下向き小根太４ａと上向き小根太４ｂ間を経由して配管されていること、
を特徴とするものである。
【００２２】
更に、請求項７に記載の発明においては、請求項１〜６に記載の発明において、山折り線Ｘ−Ｘ´及び谷折り線Ｙ−Ｙ´を跨ぐ処の温水パイプ６ａ〜６ｈは、斜行配管されていること、を特徴とするものである。
この斜行配管により、マット本体１の折り畳みに際し、温水パイプを座屈させずに折り曲げることができる。
【００２３】
更に、請求項８に記載の発明においては、請求項１〜６に記載の発明において、前記マット本体１上に敷設される一枚のフローリング床材の横幅は、３０３ｍｍに設定されていて、この一枚の横巾の中央部分が前記渡り部５上に位置し、且つ小根太４ａ、４ｂと直交するように配置されること、を特徴とするものである。
この発明により、釘打ち禁止領域を横一列に設定し、且つ、上段マット領域２と下段マット領域３において、それぞれ一列にすることができる。
【００２４】
更に、請求項９に記載の発明においては、請求項１〜６に記載の発明において、前記上段マット領域２と下段マット領域３は、その下辺から上辺に向かって３０３ｍｍ×ｎ倍にその寸法が設定されていること、を特徴とするものである。
この発明により、３０３ｍｍ幅のフローリング床材をマットの下列又は上列から敷設したとき、丁度渡り部５上にフローリング床材の中央を配置させることができる。
【００２５】
更に、請求項１０に記載の発明においては、請求項１〜６に記載の発明において、前記マット本体１の上段マット領域２と下段マット領域３の上面には、それぞれ放熱シートが貼り合わせられていること、を特徴とするものである。
この発明により、１５ｍ2程度の大きさのマットにおいても温度分布の均一化を図ることができる。
【発明の効果】
【００２６】
本発明は以上のとおり、小根太をマットの上辺と下辺からその先端を対向するようにして挿入し、且つこの先端間に温水パイプの渡り部を形成し、６回路又は８回路の温水パイプをこの渡り部を経由させて小根太間に蛇行配管するようにしたことにより、次の効果を奏する。
【００２７】
１．温水回路を６又は８回路に増やし、温水パイプの延長を短くした分、圧損が小さく    なり、温水マットを１５ｍ2程度に拡大しても従来と同じ給湯能力の熱源機を使用す    ることができる。
【００２８】
２．温水パイプの回路を６又は８回路に増大したことにより、１回路当りの温度の低下    勾配が小さくなり、温度分布の均一化が図れる。
【００２９】
３．一対の小根太をマット本体の中央領域で対向させてこの先端間に温水パイプの渡り    部を形成したことにより、山折りタイプのマット本体において、釘打ち禁止箇所を従    来の３ヶ所から２ヶ所に軽減できる。
【００３０】
４．マット本体の厚さを従来と同一にできるため、回路を増やしても施工条件を変更す    る必要がないと共にリフォーム時に障害となることもない。
【００３１】
５．温水パイプの配管のレイアウトに工夫を凝らしたことにより、温度分布の均一化が図れる。
【発明を実施するための最良の形態】
【００３２】
本発明に係る小根太入り床暖房用温水マット（以下「温水マット」という。）は、従来の８ｍ2程度までの温水マットにおいて使用されて来た熱源機及び温水パイプを１５ｍ2程度の大きさの温水マットにそのまま使用して床暖房面積が従来の８ｍ2以上、１５ｍ2程度に大きくなっても施工条件の変更の必要のない温水マットを提供するものである。
【００３３】
このため、熱源機の給湯能力及び温水マット本体の材質及び温水パイプの径とその材質は従来と同一であるが、温水マットに挿入される小根太の入れ方及び温水パイプの配管方式は従来の温水マットとは異なる。
【００３４】
また、温水マットは、１５ｍ2程度と大きいため、運搬等の目的から、一枚ものを小さく折り畳めるように工夫してあり、この折り畳み方式は、山折りと谷折りの組み合せ方式である。
【実施例１】
【００３５】
図１〜図４に基づいて本実施例１を詳細に説明する。図１は、谷折りと山折りを組み合わせた一枚の温水マットの平面図であって、このマットの温水パイプは６回路から成る。図２は図１におけるＡ−Ａ´線断面図、図３はＢ−Ｂ´線断面図、図４はヘッダー部分の説明図である。
本実施例のマット本体１は、平面視四角形の中央で上段マット領域２と下段マット    領域３に分けられ、且つこの両領域２、３間に山折り線Ｘ−Ｘ´が形成されていると    共にこの山折り線Ｘ−Ｘ´に直交するように谷折り線Ｙ−Ｙ´が形成されている。そ    して、マット本体１の前記上段マット領域２と下段マット領域３には、上辺と下辺か    らそれぞれ先端を対向させて下向き小根太４ａと上向き小根太４ｂが３０３ｍｍピッ    チで平行に挿入されていると共にこの挿入された下向きと上向き小根太４ａ、４ｂの    それぞれの先端間には温水パイプ６ａ〜６ｆの渡り部５が形成されている。
【００３６】
また、前記渡り部５は、左右に隣接するもの同士間において上下に互い違いに配置    されていると共にこの上下の渡り部５の中心間の距離はそれぞれ３０３ｍｍに設定さ    れている。
【００３７】
また、前記下段マット領域３の略中央に下向き小根太４ａと上向き小根太４ｂで区    画されたヘッダー部下段配管領域８−２が形成され、この領域８−２の下辺に近い位    置に温水ヘッダー７が配置されていると共にこの温水ヘッダー７には、図４に示すよ    うにそれぞれ６個の温水往き口Ａ１〜Ａ６と還り口Ｂ１〜Ｂ６が形成されている。
【００３８】
また、前記温水ヘッダー７の一番目の往き口Ａ１に接続された温水パイプ６ａは、    下段マット領域３において、その下段左側配管領域３−１のそれぞれの渡り部５を経    由して上向き小根太４ｂで区画された配管領域を蛇行しながら下段マット領域３の左    端配管領域３−３に移り、この左端配管領域３−３では前記山折り線Ｘ−Ｘ´に近い    部分において折り返し、再び前記した渡り部５を経由して下段マット領域３の上向き    小根太４ｂ間を蛇行しながらヘッダー部下段配管領域８−２に還ったのち、前記温水    ヘッダー７の一番目の還り口Ｂ１に接続されている。
【００３９】
また、前記温水ヘッダー７の二番目の温水往き口Ａ２に接続された温水パイプ６ｂ    は、下段左側配管領域３−１において、渡り部５を経由して下段左側配管領域３−１    の下向き小根太４ａ間を蛇行しながら左端配管領域３−３に移り、この左端配管領域    ３−３では前記山折り線Ｘ−Ｘ´に近い部分において折り返し、再び前記した渡り部    ５を経由して下段マット領域３の下向き小根太４ａ間を蛇行しながら前記ヘッダー部    下段配管領域８−２に還ったのち、前記山折り線Ｘ−Ｘ´を乗り越えてヘッダー部上    段配管領域８−１に移り、同じように渡り部５を経由して上向き小根太４ｂ間を蛇行    しながら左端配管領域２−３において山折り線Ｘ−Ｘ´に近い部分において折り返し    、再び前記渡り部５を経由して上向き小根太４ｂ間を蛇行しながらヘッダー部上段配    管領域８−１に還ったのち、山折り線Ｘ−Ｘ´を乗り越えてヘッダー部下段配管領域    ８−２に移り、前記温水ヘッダー７の二番目の還り口Ｂ２に接続されている。
【００４０】
また、前記温水ヘッダー７の三番目の温水往き口Ａ３に接続された温水パイプ６ｃ    は、温水ヘッダー７が取り付けられたヘッダー部下段配管領域８−２を上昇しながら    前記山折り線Ｘ−Ｘ´を乗り越えてヘッダー部上段配管領域８−１に移り、上段マッ    ト領域２の上段左側配管領域２−１において前記渡り部５を経由しながら下向き小根    太４ａ間を蛇行して左端配管領域２−３において山折り線Ｘ−Ｘ´に近い部分で折り    返し、再び渡り部５を経由して下向き小根太４ａ間を蛇行しながらヘッダー部上段配    管領域８−１から山折り線Ｘ−Ｘ´を乗り越えてヘッダー部下段配管領域８−２に移    り、前記温水ヘッダー７の三番目の還り口Ｂ３に接続されている。
【００４１】
また、前記マット本体１の上段マット領域２と下段マット領域３において、上段右    側配管領域２−２と３−２における温水パイプ６ｄ〜６ｆの配管のレイアウトは、前    記温水ヘッダー７の四、五、六番目の温水往き口Ａ４、Ａ５、Ａ６から温水還り口Ｂ    ４、Ｂ５、Ｂ６にそれぞれ還るように結ばれ、かつ温水パイプ６ｄ〜６ｆは、温水パ    イプ６ｄは、前記温水パイプ６ａと、温水パイプ６ｅは前記温水パイプ６ｂと、温水    パイプ６ｆは前記温水パイプ６ｃとそれぞれ同一のレイアウトにより下向き小根太４    ａと上向き小根太４ｂ間を経由して配管されている。
【実施例２】
【００４２】
図５に基づいて請求項３に記載した温水パイプの配管例を次に説明する。
マット本体１は、平面視四角形の中央で上段マット領域２と下段マット領域３に分    けられ、且つこの両領域２、３間に山折り線Ｘ−Ｘ´が形成されていると共にこの山    折り線Ｘ−Ｘ´に直交するように谷折り線Ｙ−Ｙ´が形成されている。そして、マッ    ト本体１の前記上段マット領域２と下段マット領域３には、上辺と下辺からそれぞれ    先端を対向させて下向き小根太４ａと上向き小根太４ｂが３０３ｍｍピッチで平行に    挿入されていると共にこの挿入された下向きと上向き小根太４ａ、４ｂのそれぞれの    先端間には温水パイプ６ａ〜６ｆの渡り部５が形成されている。
【００４３】
また、前記渡り部５は、左右に隣接するもの同士間において上下に互い違いに配置    されていると共にこの上下の渡り部５の中心間の距離はそれぞれ３０３ｍｍに設定さ    れている。
【００４４】
また、前記下段マット領域３の略中央に下向き小根太４ａと上向き小根太４ｂで区    画されたヘッダー部下段配管領域８−２が形成され、この領域８−２の下辺に近い位    置に温水ヘッダー７が配置されていると共にこの温水ヘッダー７には、それぞれ６個    の温水往き口Ａ１〜Ａ６と還り口Ｂ１〜Ｂ６が形成されている。
【００４５】
また、前記温水ヘッダー７の一番目の往き口Ａ１に接続された温水パイプ６ａは、    下段マット領域３において、その下段左側配管領域３−１のそれぞれの渡り部５を経    由して上向き小根太４ｂで区画された配管領域を蛇行しながら下段マット領域３の左    端配管領域３−３に移り、この左端配管領域３−３から下向き小根太４ａを迂回して    直近の配管領域３−５に入り、前記山折り線Ｘ−Ｘ´に近い部分において折り返し、    再び前記左端配管領域３−３に戻り、下段マット領域３の上向き小根太４ｂ間を蛇行    しながらヘッダー部下段配管領域８−２に還ったのち、前記温水ヘッダー７の一番目    の還り口Ｂ１に接続されている。
【００４６】
また、前記温水ヘッダー７の二番目の温水往き口Ａ２に接続された温水パイプ６ｂ    は、下段左側配管領域３−１において、渡り部５を経由して下段左側配管領域３−１    の下向き小根太４ａ間を蛇行しながら左端配管領域３−３の一つ手前の配管領域３−    ５に移り、この配管領域３−５では前記山折り線Ｘ−Ｘ´に近い部分において折り返    し、再び前記した渡り部５を経由して下段マット領域３の下向き小根太４ａ間を蛇行    しながら前記ヘッダー部下段配管領域８−２に還ったのち、前記山折り線Ｘ−Ｘ´を    乗り越えてヘッダー部上段配管領域８−１に移り、同じように渡り部５を経由して上    向き小根太４ｂ間を蛇行しながら左端配管領域２−３の一つ手前の配管領域２−５に    おいて山折り線Ｘ−Ｘ´に近い部分において折り返し、再び前記渡り部５を経由して    上向き小根太４ｂ間を蛇行しながらヘッダー部上段配管領域８−１に還ったのち、山    折り線Ｘ−Ｘ´を乗り越えてヘッダー部下段配管領域８−２に移り、前記温水ヘッダ    ー７の二番目の還り口Ｂ２に接続されている。
【００４７】
また、前記温水ヘッダー７の三番目の温水往き口Ａ３に接続された温水パイプ６ｃ    は、温水ヘッダー７が取り付けられたヘッダー部下段配管領域８−２を上昇しながら    前記山折り線Ｘ−Ｘ´を乗り越えてヘッダー部上段配管領域８−１に移り、上段マッ    ト領域２の上段左側配管領域２−１において前記渡り部５を経由しながら下向き小根    太４ａ間を蛇行しながら左側配管領域２−３において山折り線Ｘ−Ｘ´に近い部分で    折り返し、再び渡り部５を経由して下向き小根太４ａ間を蛇行しながらヘッダー部上    段配管領域８−１から山折り線Ｘ−Ｘ´を乗り越えてヘッダー部下段配管領域８−２    に移り、前記温水ヘッダー７の三番目の還り口Ｂ３に接続されている。
【００４８】
また、前記マット本体１の上段マット領域２と下段マット領域３において、上段右    側配管領域２−２と下段右側配管領域３−２における温水パイプ６ｄ〜６ｆの配管の    レイアウトは、前記温水ヘッダー７の四、五、六番目の温水往き口Ａ４、Ａ５、Ａ６    と温水還り口Ｂ４、Ｂ５、Ｂ６にそれぞれ還るように結ばれ、かつ温水パイプ６ｄ〜    ６ｆは、温水パイプ６ｄは前記温水パイプ６ａと、温水パイプ６ｅは前記温水パイプ    ６ｂと、温水パイプ６ｆは前記温水パイプ６ｃとそれぞれ同一のレイアウトにより下    向き小根太４ａと上向き小根太４ｂ間を経由して配管されている。
【実施例３】
【００４９】
図６に基づいて請求項４に記載した温水パイプの配管例を次に説明する。
マット本体１は、平面視四角形の中央で上段マット領域２と下段マット領域３に分    けられ、且つこの両領域２、３間に山折り線Ｘ−Ｘ´が形成されていると共にこの山    折り線Ｘ−Ｘ´に直交するように谷折り線Ｙ−Ｙ´が形成されている。そして、マッ    ト本体１の前記上段マット領域２と下段マット領域３には、上辺と下辺からそれぞれ    先端を対向させて下向き小根太４ａと上向き小根太４ｂが３０３ｍｍピッチで平行に    挿入されていると共にこの挿入された下向きと上向き小根太４ａ、４ｂのそれぞれの    先端間には温水パイプ６ａ〜６ｆの渡り部５が形成されている。
【００５０】
また、前記渡り部５は、左右に隣接するもの同士間において上下に互い違いに配置    されていると共にこの上下の渡り部５の中心間の距離はそれぞれ３０３ｍｍに設定さ    れている。
【００５１】
また、前記下段マット領域３の略中央に下向き小根太４ａと上向き小根太４ｂで区    画されたヘッダー部下段配管領域８−２が形成され、この領域８−２の下辺に近い位    置に温水ヘッダー７が配置されていると共にこの温水ヘッダー７には、それぞれ６個    の温水往き口Ａ１〜Ａ６と還り口Ｂ１〜Ｂ６が形成されている。
【００５２】
また、前記温水ヘッダー７の一番目の往き口Ａ１に接続された温水パイプ６ａは、    下段マット領域３において、その下段左側配管領域３−１のそれぞれの渡り部５を経    由して上向き小根太４ｂで区画された配管領域を蛇行しながら下段マット領域３の左    端配管領域３−３に移り、この左端配管領域３−３から下向き小根太４ａ間を蛇行し    ながら２つの領域戻った配管領域３−７において前記山折り線Ｘ−Ｘ´に近い部分に    おいて折り返し、再び下向き小根太４ａ間を蛇行しながら左端配管領域３−３に戻り      、再び上向き小根太４ｂ間を蛇行しながらヘッダー部下段配管領域８−２に還った  
のち、前記温水ヘッダー７の一番目の還り口Ｂ１に接続されている。
【００５３】
また、前記温水ヘッダー７の二番目の温水往き口Ａ２に接続された温水パイプ６ｂ    は、下段左側配管領域３−１において、渡り部５を経由して下段左側配管領域３−１    の下向き小根太４ａ間を２本分蛇行したのち、前記山折り線Ｘ−Ｘ´に近い部分にお    いて折り返し、再び前記した渡り部５を経由して下段マット領域３の下向き小根太４    ａ間を蛇行しながら前記ヘッダー部下段配管領域８−２に還ったのち、前記山折り線    Ｘ−Ｘ´を乗り越えてヘッダー部上段配管領域８−１に移り、同じように渡り部５を    経由して上向き小根太４ｂ間を蛇行しながら左端配管領域２−３において折り返し、    再び前記渡り部５を経由して下向き小根太４ａ間を蛇行しながらヘッダー部上段配管    領域８−１に還ったのち、山折り線Ｘ−Ｘ´を乗り越えてヘッダー部下段配管領域８    −２に移り、前記温水ヘッダー７の三番目の還り口Ｂ３に接続されている。
【００５４】
また、前記温水ヘッダー７の三番目の温水往き口Ａ３に接続された温水パイプ６ｃ    は、温水ヘッダー７が取り付けられたヘッダー部下段配管領域８−２を上昇しながら    前記山折り線Ｘ−Ｘ´を乗り越えてヘッダー部上段配管領域８−１に移り、上段マッ    ト領域２の上段左側配管領域２−１において前記渡り部５を経由しながら下向き小根    太４ａ間を蛇行して左側配管領域２−１において左端配管領域２−３で折り返し、再    び渡り部５を経由して上向き小根太４ｂ間を蛇行しながらヘッダー部上段配管領域８    −１から山折り線Ｘ−Ｘ´を乗り越えてヘッダー部下段配管領域８−２に移り、前記    温水ヘッダー７の二番目の還り口Ｂ２に接続されている。
【００５５】
また、前記マット本体１の上段マット領域２と下段マット領域３において、右側配    管領域２−２と３−２における温水パイプ６ｄ〜６ｆの配管のレイアウトは、前記温    水ヘッダー７の四、五、六番目の温水往き口Ａ４、Ａ５、Ａ６と温水還り口Ｂ４、Ｂ    ５、Ｂ６にそれぞれ還るように結ばれ、かつ温水パイプ６ｄ〜６ｆは、温水パイプ６    ｄは前記温水パイプ６ａと、温水パイプ６ｅは前記温水パイプ６ｂと、温水パイプ６    ｆは前記温水パイプ６ｃとそれぞれ同一のレイアウトにより下向き小根太４ａと上向    き小根太４ｂ間を経由して配管されている。
【実施例４】
【００５６】
図７に基づき、請求項５に記載した温水パイプの配管例を説明する。ａ．マット本体１は、平面視四角形の中央で上段マット領域２と下段マット領域３に分けられ、且つこの両領域２、３間に山折り線Ｘ−Ｘ´が形成されていると共にこの山折り線Ｘ−Ｘ´に直交するように谷折り線Ｙ−Ｙ´が形成されたマット本体１において、前記上段マット領域２と下段マット領域３には、上辺と下辺からそれぞれ先端を対向させて下向き小根太４ａと上向き小根太４ｂが３０３ｍｍピッチで平行に挿入されていると共にこの挿入された下向きと上向き小根太４ａ、４ｂのそれぞれの先端間には温水パイプ６ａ〜６ｆの渡り部５が形成されている。
【００５７】
また、前記渡り部５は、左右に隣接するもの同士間において上下に互い違いに配置されていると共にこの上下の渡り部５の中心間の距離はそれぞれ３０３ｍｍに設定されている。
【００５８】
また、前記下段マット領域３の略中央に下向き小根太４ａと上向き小根太４ｂで区画されたヘッダー部下段配管領域８−２が形成され、この領域８−２の下辺に近い位置に温水ヘッダー７が配置されていると共にこの温水ヘッダー７には、それぞれ６個の温水往き口Ａ１〜Ａ６と還り口Ｂ１〜Ｂ６が形成されている。
【００５９】
また、前記温水ヘッダー７の一番目の往き口Ａ１に接続された温水パイプ６ａは、下段マット領域３において、その下段左側配管領域３−１のそれぞれの渡り部５を経由して上向き小根太４ｂで区画された配管領域を蛇行しながら下段マット領域３の左端配管領域３−３に移り、この左端配管領域３−３では前記山折り線Ｘ−Ｘ´に近い部分において折り返し、再び前記した渡り部５を経由して下段マット領域３の下向き小根太４ａ間を蛇行しながらヘッダー部下段配管領域８−２に還ったのち、前記温水ヘッダー７の一番目の還り口Ｂ１に接続されている。
【００６０】
また、前記温水ヘッダー７の二番目の温水往き口Ａ２に接続された温水パイプ６ｂは、下段左側配管領域３−１において、渡り部５を経由して下段左側配管領域３−１の１本目の下向き小根太４ａを越えた領域で山折り線Ｘ−Ｘ´に近い部分において折り返し、渡り部５を経由してヘッダー部下段配管領域８−２に還ったのち、ここを上昇してヘッダー部上段配管領域８−１に移り、渡り部５を経由して上向き小根太４ｂ間を蛇行しながら左端配管領域２−３において下向き小根太４ａ間を蛇行しながらヘッダー部上段配管領域８−１から山折り線Ｘ−Ｘ´を越えてヘッダー部下段配管領域８−２に移り、温水ヘッダー７の三番目の還り口Ｂ３に接続されている。
【００６１】
また、前記温水ヘッダー７の三番目の温水往き口Ａ３に接続された温水パイプ６ｃは、ヘッダー部下段配管領域８−２を上昇し、山折り線Ｘ−Ｘ´を越えて上段マット領域２のヘッダー部上段配管領域８−１41に移り、上段左側配管領域２−３の下向き小根太４ａ間を蛇行しながら左端配管領域３−３に移り、この領域で折り返し、再び上向き小根太４ｂ間を蛇行しながらヘッダー部上段配管領域８−１に還り、ここを下降して山折り線Ｘ−Ｘ´を越えてヘッダー部下段配管領域８−２に移り、温水還り口Ｂ２に接続されている。
【００６２】
また、前記マット本体１の上段マット領域２と下段マット領域３において、上段右側配管領域２−２と下段右側配管領域３−２における温水パイプ６ｄ〜６ｆの配管のレイアウトは、前記温水ヘッダー７の四、五、六番目の温水往き口Ａ４、Ａ５、Ａ６から温水還り口Ｂ４、Ｂ５、Ｂ６にそれぞれ還るように結ばれ、かつ温水パイプ６ｄ〜６ｆは、温水パイプ６ｄは、前記温水パイプ６ａと、温水パイプ６ｅは前記温水パイプ６ｂと、温水パイプ６ｆは前記温水パイプ６ｃとそれぞれ同一のレイアウトにより下向き小根太４ａと上向き小根太４ｂ間を経由して配管されている。
【実施例５】
【００６３】
本実施例５は、実施例１〜４の６回路ではなく、８回路で構成された請求項６に対応する温水マットの配管例であって、この詳細を図８、図９に基づいて説明する。
【００６４】
マット本体１は、平面視その中央で上段マット領域２と下段マット領域３に分けら    れ、且つこの両領域２、３間に山折り線Ｘ−Ｘ´が形成されていると共にこの山折り    線Ｘ−Ｘ´に直交するように谷折り線Ｙ−Ｙ´が形成されている。そして、マット本    体１の前記上段マット領域２と下段マット領域３には、上辺と下辺からそれぞれ先端    を対向させて下向き小根太４ａと上向き小根太４ｂが３０３ｍｍピッチで平行に挿入    されていると共にこの挿入された下向きと上向き小根太４ａ、４ｂのそれぞれの先端    間には温水パイプ６ａ〜６ｈの渡り部５が形成されている。
【００６５】
また、前記渡り部５は、左右に隣接するもの同士間において上下に互い違いに配置    されていると共にこの上下の渡り部５の中心間の距離はそれぞれ３０３ｍｍに設定さ    れている。
【００６６】
また、前記下段マット領域３の略中央に下向き小根太４ａと上向き小根太４ｂで区    画されたヘッダー部下段配管領域８−２が形成され、この領域８−２の下辺に近い位    置に温水ヘッダー７が配置されていると共にこの温水ヘッダー７には、それぞれ８個    の温水往き口Ａ１〜Ａ８と還り口Ｂ１〜Ｂ８が形成されている。
【００６７】
また、前記温水ヘッダー７の一番目の往き口Ａ１に接続された温水パイプ６ａは、    下段マット領域３において、その下段左側配管領域３−１のそれぞれの渡り部５を経    由して上向き小根太４ｂで区画された配管領域を蛇行しながら下段マット領域３の左    端配管領域３−３に移り、この左端配管領域３−３では前記山折り線Ｘ−Ｘ´に近い    部分において折り返し、再び前記した渡り部５を経由して下段マット領域３の上向き    小根太４ｂ間を蛇行しながらヘッダー部下段配管領域８−２に還ったのち、前記温水    ヘッダー７の一番目の還り口Ｂ１に接続されている。
【００６８】
また、前記温水ヘッダー７の二番目の温水往き口Ａ２に接続された温水パイプ６ｂ    は、下段左側配管領域３−１において、渡り部５を経由して下段左側配管領域３−１    の下向き小根太４ａ間を蛇行しながら左端配管領域３−３に移り、この左端配管領域    ３−３では前記山折り線Ｘ−Ｘ´に近い部分において折り返し、再び前記した渡り部    ５を経由して下段マット領域３の下向き小根太４ａ間を蛇行しながらヘッダー部下段    配管領域８−２に移り、前記温水ヘッダー７の二番目の還り口Ｂ２に接続されている    。
【００６９】
また、前記温水ヘッダー７の三番目の温水往き口Ａ３に接続された温水パイプ６ｃ    は、温水ヘッダー７が取り付けられたヘッダー部下段配管領域８−２を上昇しながら    前記山折り線Ｘ−Ｘ´を乗り越えてヘッダー部上段配管領域８−１に移り、上段マッ    ト領域２の上段左側配管領域２−１において前記渡り部５を経由しながら上向き小根    太４ｂ間を蛇行して左端配管領域２−３において山折り線Ｘ−Ｘ´に近い部分で折り    返し、再び渡り部５を経由して上向き小根太４ｂ間を蛇行しながらヘッダー部上段配    管領域８−１から山折り線Ｘ−Ｘ´を乗り越えてヘッダー部下段配管領域８−２に移    り、前記温水ヘッダー７の三番目の還り口Ｂ３に接続されている。
【００７０】
また、前記温水ヘッダー７の四番目の温水往き口Ａ４に接続された温水パイプ６ｄ    は、温水ヘッダー７が取り付けれられたヘッダー部下段配管領域８−２を上昇しなが    ら前記山折り線Ｘ−Ｘ´を乗り越えてヘッダー部上段配管領域８−１に移り、上段配    管領域２の上段左側配管領域２−１において、前記渡り部５を経由しながら下向き小    根太４ａ間を蛇行して左端配管領域２−３において山折り線Ｘ−Ｘ´に近い部分で折    り返し、再び渡り部５を経由して下向き下根太４ａ間を蛇行しながらヘッダー部上段    配管領域８−１から山折り線Ｘ−Ｘ´を乗り越えてヘッダー部下段配管領域８−２に    移り、前記温水ヘッダー７の四番目の還り口Ｂ４に接続されている。
【００７１】
また、前記マット本体１の上段マット領域２と下段マット領域３において、右側配    管領域２−２と３−２における温水パイプ６ｅ〜６ｈの配管のレイアウトは、前記温    水ヘッダー７の五、六、七、八番目の温水往き口Ａ５、Ａ６、Ａ７、Ａ８に結ばれ、    温水還り口Ｂ５、Ｂ６、Ｂ７、Ｂ８にそれぞれ還るように結ばれ、かつ温水パイプ６    ｅは前記温水パイプ６ａと、温水パイプ６ｆは前記温水パイプ６ｂと、温水パイプ６    ｇは前記温水パイプ６ｃと、温水パイプ６ｈは温水パイプ６ｄと、それぞれ同一のレ    イアウトにより下向き小根太４ａと上向き小根太４ｂ間を経由して配管されている。    
【００７２】
上記実施例１〜５において、熱源機（図示せず）から供給された温水は、温水ヘッダー７の供給接続口７ａから温水ヘッダー７内に入り、ここで６又は８回路に分けられて各温水パイプ６ａ〜６ｈ内を一巡して温水ヘッダー７内に還り、接続口７ｂから熱源機に還る。なお、温水ヘッダー７の位置は、各実施例の位置に対して一つ右側の配管領域に位置させても良い。
【図面の簡単な説明】
【００７３】
【図１】実施例１の温水マットを示す平面図
【図２】Ａ−Ａ´線拡大断面図
【図３】Ｂ−Ｂ´線拡大断面図
【図４】温水ヘッダー部分の説明図
【図５】実施例２の温水マットを示す平面図
【図６】実施例３の温水マットを示す平面図
【図７】実施例４の温水マットを示す平面図
【図８】実施例５の温水マットを示す平面図
【図９】実施例５に用いられている温水ヘッダー部分の説明図
【符号の説明】
【００７４】
１  マット本体
２  上段マット領域
２−１  上段左側マット配管領域
２−２  上段右側配管領域
２−３  左端配管領域
２−４  右端配管領域
３  下段マット領域
３−１  下段左側配管領域
３−２  下段右側配管領域
３−３  左端配管領域
３−４  右端配管領域
４ａ  下向き小根太
４ｂ  上向き小根太
５  渡り部
６ａ〜６ｈ  温水パイプ
７  温水ヘッダー
８−１  ヘッダー部上段配管領域
８−２  ヘッダー部下段配管領域
９  放熱シート
【図１】
2010038390.tif 000003
【図２】
2010038390.tif 000004
【図３】
2010038390.tif 000005
【図４】
2010038390.tif 000006
【図５】
2010038390.tif 000007
【図６】
2010038390.tif 000008
【図７】
2010038390.tif 000009
【図８】
2010038390.tif 000010
【図９】
2010038390.tif 000011